(57)【特許請求の範囲】
【請求項１】
荷電粒子源と、
荷電粒子を検出する荷電粒子検出器と、
加速電極に荷電粒子線を加速させる加速電圧を印加する電源と、
試料を搭載する試料ステージと、
前記試料ステージに前記荷電粒子線を減速させるリターディング電圧を印加する電源と、
前記加速電圧または／及び前記リターディング電圧を制御する制御コンピュータと、を備えた荷電粒子線装置において、
当該制御コンピュータは、
前記リターディング電圧の値が前記加速電圧の値よりも小さい条件において試料上に形成されたパターンを測定するための荷電粒子線照射を実行し、
当該測定のための荷電粒子線照射後、
前記リターディング電圧の調整に基づいて、前記リターディング電圧の値と前記加速電圧の値の差を前記測定のための照射時よりも小さく、且つ−２０Ｖ〜＋３０Ｖとなるように、或いは前記加速電極によって加速された荷電粒子線が、前記試料に到達しないようにすることによって除電するように制御することを特徴とする荷電粒子線装置。
【請求項２】
請求項１に記載された荷電粒子線装置において、
前記制御コンピュータは、
前記リターディング電圧の値を負の方向に増大させることにより、
前記リターディング電圧の値と前記加速電圧の値の差を前記測定時よりも小さくすることによって除電するように制御することを特徴とする荷電粒子線装置。
【請求項３】
請求項１に記載された荷電粒子線装置において、
前記制御コンピュータは、
前記リターディング電圧の値と前記加速電圧の値の差が０［Ｖ］となる方向に制御することによって除電することを特徴とする荷電粒子線装置。
【請求項４】
請求項１に記載された荷電粒子線装置において、
前記制御コンピュータは、
前記リターディング電圧と前記加速電圧の値の差を０［Ｖ］に収束させることによって除電するように制御することを特徴とする荷電粒子線装置。
【請求項５】
請求項１に記載された荷電粒子線装置において、
前記制御コンピュータは、
当該試料の測定後、
前記試料のグローバル帯電電位を測定し、
前記加速電圧の値から前記グローバル帯電電位の値を引いた値と前記リターディング電圧の値の差を小さくすることによって除電するように制御することを特徴とする荷電粒子線装置。
【請求項６】
請求項１に記載された荷電粒子線装置において、
前記制御コンピュータは、
前記リターディング電圧の値を負の方向に増大させることにより、
前記加速電圧の値から前記グローバル帯電電位の値を引いた値と前記リターディング電圧の値の差を小さくすることによって除電するように制御することを特徴とする荷電粒子線装置。
【請求項７】
請求項１に記載された荷電粒子線装置において、
前記制御コンピュータは、
前記加速電圧の値から前記グローバル帯電電位の値を引いた値と前記リターディング電圧の値の差を−２０〜０［Ｖ］にすることによって除電するように制御することを特徴とする荷電粒子線装置。
【請求項８】
請求項１に記載された荷電粒子線装置において、
前記制御コンピュータは、
前記加速電圧の値から前記グローバル帯電電位の値を引いた値と前記リターディング電圧の値の差を０〜３０［Ｖ］にすることによって除電するように制御することを特徴とする荷電粒子線装置。
【請求項９】
請求項１に記載された荷電粒子線装置において、
前記制御コンピュータは、
前記加速電圧の値から前記グローバル帯電電位の値を引いた値と前記リターディング電圧の値の差が０［Ｖ］となる方向に制御することによって除電することを特徴とする荷電粒子線装置。
【請求項１０】
請求項１に記載された荷電粒子線装置において、
前記制御コンピュータは、
当該試料の測定後、
前記試料の帯電電位を予め測定し、
当該帯電電位と前記荷電粒子線の放出量の相関関係を取得し、
当該求めた荷電粒子線の放出量に基づいて当該除電を行うように制御することを特徴とする荷電粒子線装置。
【請求項１１】
請求項１に記載された荷電粒子線装置において、
前記制御コンピュータは、
前記リターディング電圧の値が前記加速電圧の値よりも小さい条件において試料を複数回測定し、
当該複数回測定後、
当該複数回測定した試料の領域のうち、少なくとも２箇所以上の試料の測定領域が、同時に除電できる領域内に含まれるかを判断し、
前記同時に除電できる領域内に含まれていると判断したとき、
前記少なくとも２箇所以上の試料の測定領域を含む領域に対して、
前記リターディング電圧の値と前記加速電圧の値の差を前記測定時よりも小さくすることによって同時に除電するように制御することを特徴とする荷電粒子線装置。
【請求項１２】
請求項１に記載された荷電粒子線装置において、
前記制御コンピュータは、
前記リターディング電圧の値が前記加速電圧の値よりも小さい条件において試料を複数回測定し、
当該複数回の測定のうち、任意の回数の測定が終了した後に、
当該任意の回数測定した試料の領域のうち、少なくとも２箇所以上の試料の測定領域が、同時に除電できる領域内に含まれるかを判断し、
前記同時に除電できる領域内に含まれていると判断したとき、
前記少なくとも２箇所以上の試料の帯電領域を含む領域に対して、
前記リターディング電圧の値と前記加速電圧の値の差を前記測定時よりも小さくすることによって同時に除電するように制御することを特徴とする荷電粒子線装置。
【請求項１３】
請求項１１または１２に記載された荷電粒子線装置において、
前記少なくとも２箇所以上の前記試料の測定領域が、同時に除電できる領域内に含まれるかの判断は、
前記荷電粒子源から放出される前記荷電粒子線の照射可能面積に基づいて行うことを特徴とする荷電粒子線装置。
【請求項１４】
請求項１に記載された荷電粒子線装置において、
前記制御コンピュータは、
前記リターディング電圧の値が前記加速電圧の値よりも小さい条件において試料を複数回測定し、
当該複数回の測定のうち、任意の回数の測定が終了した後に、
当該任意の回数測定した試料の領域のうち、少なくとも２箇所以上の試料の測定領域のうち、前記試料の次の測定領域に影響を及ぼす測定領域が含まれるかを判断し、
当該影響を及ぼす測定領域が含まれると判断したとき、
前記影響を及ぼす測定領域に対して、
前記リターディング電圧の値と前記加速電圧の値の差を前記測定時よりも小さくすることによって同時に除電するように制御することを特徴とする荷電粒子線装置。
【発明の詳細な説明】
【技術分野】
【０００１】
本発明は、荷電粒子線装置に関し、特に試料表面の帯電を除去する方法、及び装置に関する。
【背景技術】
【０００２】
電子線やイオンビームなどの荷電粒子線を用いて試料を観察，測定，加工を行う装置としては、走査型電子顕微鏡（ＳＥＭ）や集束イオンビーム（ＦＩＢ）がある。これらの装置は荷電粒子線を試料上に照射し、試料から発生する二次荷電粒子を検出することで、試料の表面形状を反映した二次元信号（画像）を取得する。
【０００３】
荷電粒子線を照射すると、試料に入射した荷電粒子の数と、試料から放出される二次荷電粒子の数の違いが関連して、試料の照射領域が一時的に正または負に帯電する場合がある。このように荷電粒子線の照射領域に生じる帯電はローカル帯電と呼ばれ、例えばその領域の範囲は数百μｍ×数百μｍである。
【０００４】
このような微小範囲内に対し、複数回にわたって荷電粒子線を走査すると、ローカル帯電の影響が大きくなり、非点発生，倍率変化などが生じる。
【０００５】
試料表面のローカル帯電が原因で生じる非点発生や倍率変化を解決する方法としては特許文献１のように電子シャワー，イオンシャワーを発生させる装置を搭載する方法が存在する。また、上述のローカル帯電と、試料の広範囲な領域に及ぶ帯電であるグローバル帯電の両方を除去する方法として、特許文献２ではローカル帯電用の中和用荷電粒子源とグローバル帯電用の中和用荷電粒子源を別個に備えた電極ユニットを用いることが開示されている。
【先行技術文献】
【特許文献】
【０００６】
【特許文献１】特開平１０−１２６８４号公報
【特許文献２】特開２００９−２７７５８７号公報
【発明の概要】
【発明が解決しようとする課題】
【０００７】
しかし特許文献１の方法では、荷電粒子線装置に前記電子シャワー，イオンシャワーを発生させる装置を、また特許文献２の方法ではローカル帯電用の中和用荷電粒子源，グローバル帯電用の中和用荷電粒子源を備えた電極ユニットといった装置を別途搭載しなくてはならない。
【０００８】
このように別途装置を搭載することで、試料室のように小さな空間の中における操作を困難にし、また、試料と対物レンズ下面との距離であるワーキングディスタンス（ＷＤ）が長くなることにより解像度を低下させる可能性がある。また、各々の装置の場所へ試料ステージを移動させる必要があるため、スループットの低下が考えられる。
【０００９】
さらに、荷電粒子線は試料表面にて帯電した電荷によって曲げられるため、あらかじめ測定する位置を登録して自動測定を行う測長ＳＥＭでは、一次電子線が曲げられることにより次測定点の視野ずれが発生することがわかった。これらの要因により、長時間の試料の観察では安定した電子像が得られなくなる。
【００１０】
本発明の目的は、荷電粒子線装置に新たに別の装置を搭載することなく、荷電粒子線の照射領域に生じる帯電を高速に除電する手段を提供することである。
【課題を解決するための手段】
【００１１】
上記目的を達成するための一態様として、試料の測定のために荷電粒子線を照射したのち、次の測定を行う前の段階にて、リターディング電圧または／及び加速電圧を調整し、リターディング電圧の値と加速電圧の値の差を測定時よりも小さくすることで除電を行うようコントロールする荷電粒子線装置を提供する。
【発明の効果】
【００１２】
上記一態様によれば、荷電粒子線装置に別途装置を搭載することなく除電できるため、試料室における操作性やスループットを低下させることなく、試料表面のローカル帯電を除電することができる。
【００１３】
なお、本発明の他の目的、及び他の具体的な構成については、以下発明の実施の形態の欄で詳細に説明する。
【図面の簡単な説明】
【００１４】
【図１】走査型電子顕微鏡（ＳＥＭ）の概略構成図。
【図２】試料にグローバル帯電が存在しない場合におけるローカル帯電の除電手法の模式図。
【図３−Ａ】試料にグローバル帯電が存在しない場合においてローカル帯電を除電する工程を示すフローチャート。（Ｖr＝Ｖ01条件下）
【図３−Ｂ】試料にグローバル帯電が存在しない場合においてローカル帯電を除電する工程を示すフローチャート。（−２０［Ｖ］≦Ｖ01−Ｖr≦０［Ｖ］または０［Ｖ］≦Ｖ01−Ｖr≦３０［Ｖ］条件下）
【図４】試料のグローバル帯電における帯電電位と試料位置の関係を示す図。
【図５】試料にグローバル帯電が存在する場合におけるローカル帯電の除電手法の模式図。
【図６−Ａ】試料にグローバル帯電が存在する場合においてローカル帯電を除電する工程を示すフローチャート。（Ｖr＝Ｖ01−Ｖg条件下）
【図６−Ｂ】試料にグローバル帯電が存在する場合においてローカル帯電を除電する工程を示すフローチャート。（−２０［Ｖ］≦Ｖ01−Ｖg−Ｖr≦０［Ｖ］または０［Ｖ］≦Ｖ01−Ｖg−Ｖr≦３０［Ｖ］条件下）
【図７】試料にグローバル帯電が存在しない場合におけるローカル帯電に対するＶr＝Ｖ0条件下での一次電子線の照射。
【図８】試料にグローバル帯電が存在しない場合におけるローカル帯電の進行抑制を考慮した除電手法の模式図。
【図９】試料にグローバル帯電が存在しない場合においてローカル帯電の進行抑制を考慮して除電する工程を示すフローチャート。
【図１０】除電時のリターディング電圧の変更条件の一例を示す図。
【図１１】画像明度と除電の進行状況の関係を示す図。
【図１２】試料に流れる電流と除電状況の関係を示す図。
【図１３】除電可能面積の調査手法の一例を示す図。
【図１４】複数のローカル帯電の一括除電手法の模式図。
【図１５】複数のローカル帯電を除電する工程を示すフローチャート。
【図１６】ローカル帯電位置及び次測定に与える影響範囲を示す図。
【図１７】ローカル帯電が次測定に影響を与える場合において除電する工程を示すフローチャート。
【図１８】ローカル帯電の次測定への影響が閾値を超えた場合において除電する工程を示すフローチャート。
【図１９】ＦＯＶ内の電位差による画像変化を示す図。
【発明を実施するための形態】
【００１５】
以下に説明する実施例では、試料の測定のために荷電粒子線を照射したのち、次の測定を行う前の段階にて、リターディング電圧または／及び加速電圧を調整し、リターディング電圧が加速電圧よりも大きい状態にて、電子が試料に到達することなく試料の帯電領域に供給される条件にコントロールする荷電粒子線装置、及び当該処理をコンピュータに実行させるコンピュータプログラムについて説明する。
【００１６】
上記態様によれば、スループットを低下させることなく、試料表面のローカル帯電を除電することが可能になる。
【００１７】
以下、図面を参照して、試料表面のローカル帯電を除電する方法，装置、及び当該処理をコンピュータに実行させるコンピュータプログラムについて詳細に説明する。なお、以下の説明については、荷電粒子線装置の一形態であるＳＥＭを例にとって説明するが、これに限定されることはなく、他の装置、例えばＦＩＢ装置等への適用も可能である。また、適用される製品の種類や実験条件などに応じて、試料が正に帯電している場合及び負に帯電している場合のいずれにおいても適用可能である。
【００１８】
図１にＳＥＭの概略を示す。ＳＥＭの中で、電子源１０１から発生した電子は、加速電源１１２から電圧が印加された一次電子加速電極１１３によって加速されたのちに、リターディング電源１１０から試料１０７に印加されたリターディング電圧により減速され、かつ対物レンズ１０６により集束されて試料ステージ１１１上の試料１０７上に照射される。
【００１９】
ここで、リターディング電圧について簡単に説明する。ＳＥＭやＦＩＢにおいては、電子線によって試料の回路パターンの素子を損傷させることなく、荷電粒子線を試料上で集束させるために、試料に電圧を印加して電子線の到達エネルギー強度を制御している。この印加される電圧をリターディング電圧と呼ぶ。試料への入射電子に対して、リターディング電圧によって形成された減速電界は、試料から放出される二次電子に対しては電子源側への加速電界として作用する。
【００２０】
試料１０７に一次電子線１０２が照射されると、試料１０７から二次電子１０８が発生し、二次電子１０８はリターディング電圧によって形成される電界により電子源側に加速される。二次電子１０８は反射板１０４にあたり、反射板１０４で発生した二次電子１０８が二次電子検出器１０９で捕捉され、二次電子検出器１０９に入射する電子の量に応じて二次電子検出器１０９の出力が変化する。
【００２１】
制御装置１２８は、以下に示す各制御部の電気的制御を行う。
【００２２】
一次電子線１０２のビームは、偏向（走査）コイル１０５により試料上にて走査され、走査に同期して二次電子検出器１０９の出力が電気信号として増幅器１２１で増幅される。増幅された電気信号は演算部１２２によって演算され、画像の濃淡などの輝度情報に変換されて撮像画像として画像メモリ１２３に格納される。格納された画像は、試料表面の形状の二次元画像として取得されたのち、もしくは後述する演算装置１２４にて演算されたのち、表示装置１２５に表示される。
【００２３】
電子線を走査する位置および倍率は、位置制御部１１９がイメージシフト制御部１１６，スキャン制御部１１７を制御して調整する。イメージシフト制御部１１６は偏向（走査）コイル１０５を制御し、スキャン制御部１１７は偏向（走査）コイル１０５および試料ステージ１１１を制御する。
【００２４】
演算装置１２４では、ＣＰＵ等の画像処理ハードウェアによって、目的に応じた画像処理が行われる。また、演算装置１２４は、画像メモリ１２３に格納された画像の輝度情報に基づいて、ラインプロファイルを作成し、プロファイルのピーク間の寸法を測定する機能をも備えている。当該処理により得られた結果は、演算装置１２４に接続された外部ディスプレイ等の表示装置１２５に表示される。表示装置１２５には、操作者に対して画像や検査結果等を表示するＧＵＩ等の機能を有する。また演算装置１２４は、高電圧制御部１１４，位置制御部１１９，リターディング電圧制御部１２０，電流計制御部１２７の制御を行う。
【００２５】
制御装置１２８は、測長や検査等に必要とされる電子デバイスの座標，位置決めに利用するパターンマッチング用のテンプレート，撮影条件等を含む撮像レシピを作成する装置とネットワークまたはパス等を介して接続することもできる。また、制御装置１２８には、当然のことながら図示しない制御部も含まれている。また、制御装置１２８に含まれる各制御部はハード実装されてもソフト実装されてもよく、装置条件に応じて複数の制御部がまとめて実装されていてもよい。
【００２６】
測長ＳＥＭは、上述の通り半導体回路パターンの形状や線幅の寸法などを計測する装置として広く利用されている。測長ＳＥＭの基本構造は図１の通りである。ここで、半導体回路パターンとは、ウェーハと呼ばれる試料上の数百μｍ×数百μｍという微小範囲において数百，数千という多数のパターンが作成されてできており、測長ＳＥＭではこれらのパターンをすべて測定する場合が想定される。
【００２７】
測長ＳＥＭでは撮像レシピのファイルに一連の測定手順を記述し、その手順に従って装置を稼動させることで自動測定を可能にしている。しかし極近傍のパターンの測定を連続的に行っていくと、一次電子線１０２の照射により試料１０７上に発生したローカル帯電による影響が徐々に大きくなる。そのため、レシピ実行時に一次電子線１０２が試料１０７上の帯電との電荷の反発により曲げられてパターン検出に失敗し、自動測定ができなくなる。また自動測定が行われたとしても、試料上の帯電は非点発生，倍率変化を生じさせ、正しい寸法が計測できなくなる。
【００２８】
ところで、試料の測定や検査を行うための画像を取得する前に、試料表面を正帯電させるような電子ビーム走査を行う予備帯電手法の１つとして、プリドーズがある。より具体的には、試料に照射される電子よりも試料から発生する電子の方が多い条件である、二次電子発生効率（試料から発生する電子／試料へ照射される電子）δが１を超えるビームを試料上で走査することによって、試料表面を正に帯電させる。このような予備帯電が行われた上で、画像を形成するためのビームを走査すると、パターン下部であるホール底で発生した電子が、試料表面の正帯電に引き寄せられるために、ホール底で発生した電子を高効率に捕捉することが可能になる。
【００２９】
さらに、試料の欠陥検査を行う場合においては特に、検査のための画像を取得する前に正帯電とは逆の負帯電を形成するようなビーム（例えば二次電子発生効率δが１未満のビーム）で試料を走査するプリチャージと呼ばれる予備帯電手法がある。これは、近年の半導体製造プロセスにおける微細化，高集積化によって、通常の電子ビーム走査ではコンタクトホール深底部まで均一に帯電できず二次電子像として欠陥を検出することができるだけの電位コントラストが得られない場合などにおいて有効である。
【００３０】
上記のようなプリドーズ，プリチャージといった予備帯電手法を用いた場合では、対象のパターンの測定や検査が完了した後、これらの帯電による影響を排除するために除電する必要がある。
【００３１】
これらを踏まえて、以下の実施例を提案する。
【実施例１】
【００３２】
図２を用いて、試料への荷電粒子線の照射によって発生した帯電を除去する原理について説明する。ただし、ここでは試料表面の帯電は正帯電とする。また試料の広範囲な領域に形成する帯電（グローバル帯電）は存在しない場合について説明する。
【００３３】
試料に一次電子線２０２が照射されると、試料から二次電子２０５が発生する。これが図２の（１）の状態である。ＳＥＭでは、この二次電子を用いることで、試料表面の形状を二次元画像として表示する。この時、二次電子発生効率δが１以上、つまり一次電子線の電子が試料に照射される数よりも試料から発生する二次電子の数が多い場合に、一次電子線が照射された範囲の試料表面が正に帯電する。これが図２の（２）に示した試料表面の状態である。
【００３４】
ここで一次電子線の加速電源２０６により印加する加速電圧をＶ01とし、リターディング電源２０７により印加するリターディング電圧をＶrとする。電子は負電荷を有するので、試料への一次電子線を加速する加速電圧Ｖ01は負の電圧、また荷電粒子線の試料への到達エネルギーを低下させるリターディング電圧Ｖrは負の電圧である。ここでは、Ｖ01，Ｖrの値については絶対値をとるものとする。Ｖr＞Ｖ01の状態では、一次電子線は試料表面に到達する前に、リターディング電圧Ｖrが形成した負の電界によって電子銃側へ反射されるため到達できない状態を指す。またＶr＜Ｖ01の場合、一次電子線は試料表面に到達する状態を指す。Ｖr＝Ｖ01では、一次電子線の試料面におけるエネルギーが０［ｅＶ］の状態を指す。図２の（３）はＶr＝Ｖ01となるようにリターディング電圧Ｖrを負の方向に増大させるように調整し、図２の（１）において試料に一次電子線を照射した位置と同位置にて一次電子線を照射した状態である。この状態では加速電圧Ｖ01と減速電圧であるリターディング電圧Ｖrが同じ値であるため、お互いに打ち消しあうことによって一次電子線のエネルギーは試料表面上で０［ｅＶ］となる。このとき試料上の正に帯電したローカル帯電領域における正電荷と試料表面近傍の一次電子線の電子の負電荷が引き寄せ合い、試料のローカル帯電が中和され、除電される（２０９）。
【００３５】
ローカル帯電が除去された後の状態においても、試料２０４上の一次電子線２０２のエネルギーは０［ｅＶ］付近であることから、一次電子線２０２は試料２０４にほとんど到達せず、試料へ影響を与えない。これが図２の（４）の状態である。
【００３６】
図３−Ａに、ローカル帯電の除電方法のフローチャートを示す。まず画像の取得などの測定が終了したら（Ｓ０１）、試料表面で一次電子線のエネルギーが０［ｅＶ］となるようにリターディング電圧Ｖrを変更する（Ｓ０２）。Ｓ０２にて設定した条件において、試料の測定と同位置において電子源から試料方向へ一次電子線を照射する（Ｓ０３）。図２の（３）にて説明した通り、この状態においては帯電領域における正電荷と一次電子線の電子の負電荷が引き寄せ合い、帯電が中和されることによって除電が行われる。除電が終了したら、リターディング電圧Ｖrを変更前の通常条件の値に戻す（Ｓ０４）。このときの一次電子線の試料表面における加速電圧をＶ02とすると、式Ｖ02＝Ｖ01−Ｖrで表される。除電終了を判定する方法は実施例５にて説明する。
【００３７】
また、このフローチャートを指令するプログラムを走査型電子顕微鏡その他の荷電粒子線装置に組み込むこともできる。また一次電子線ではなくイオンビームも同様に用いることができる。ただし、イオン源が負の場合は正帯電を、正の場合は負帯電を除電できる。
【００３８】
また上記フローチャートではリターディング電圧Ｖrを変更したが、一次電子加速電源に印加する加速電圧Ｖ01を変更、もしくは両者を変更して、試料表面における一次電子線のエネルギーを０［ｅＶ］に調整しても良い。ただし、リターディング電圧Ｖrを変更する場合には、加速電圧Ｖ01を変更する場合と比較して、次のような利点がある。加速電圧Ｖ01を変更する場合には、当該変更に伴って変化するＳＥＭのその他の光学系条件についても調整する必要があるが、リターディング電圧Ｖrを変更する場合には、このような調整が不要になるという点である。
【実施例２】
【００３９】
実施例１ではリターディング電圧ＶrをＶr＝Ｖ01となるように調整したが、試料の除電は試料の測定時の条件よりも加速電圧Ｖ01の値とリターディング電圧Ｖrの値の差を小さくした条件においても可能である。このような場合では、試料の測定時における、加速電圧Ｖ01の絶対値がリターディング電圧Ｖrの値よりも大きい条件から、リターディング電圧Ｖrの値を負の方向に大きくする、または／および加速電圧Ｖ01の値を正の方向に大きくすることにより、リターディング電圧Ｖrと加速電圧Ｖ01の差分を減少させるように変更した状態において除電を行う。ここで、試料に照射される一次電子線のエネルギーの範囲は、具体的には−２０〜０［ｅＶ］、もしくは０〜＋３０［ｅＶ］とする。ここで、エネルギーが−２０〜０［ｅＶ］の範囲内では、Ｖr＞Ｖ01となり一次電子線は試料に到達しない状態にて、一次電子の負電荷が試料の帯電領域の正電荷と中和されることにより除電が行われる。一方、エネルギーが０〜３０［ｅＶ］の範囲内では、Ｖ01＞Ｖrとなり、試料に入射する電子の数よりも試料より放出される電子の数が少ない状態、つまり試料に対する一次電子線の二次電子発生効率が１以下となる条件下で、一次電子線の電子の負電荷は試料の帯電領域の正電荷と中和されることにより除電が行われる。
【００４０】
図３−Ｂに、ローカル帯電の除電方法のフローチャートを示す。まず画像の取得などの測定が終了したら（Ｓ０５）、リターディング電圧Ｖrを負の方向に増大させ、測定時のリターディング電圧Ｖrと加速電圧Ｖ01の条件よりもＶrとＶ01の差分を減少させるように変更する。具体的には、試料表面で一次電子線のエネルギーが−２０〜０［ｅＶ］、もしくは０＋３０［ｅＶ］となるようにリターディング電圧Ｖｒを変更する（Ｓ０６）。Ｓ０２にて設定した条件において、電子源から試料方向へ一次電子線を照射する（Ｓ０７）。この状態においては、図２の（３）の説明と同様に、帯電領域における正電荷と一次電子線の電子の負電荷が引き寄せ合い、帯電が中和されることによって除電が行われる。除電が終了したら、リターディング電圧Ｖrを変更前の通常条件の値に戻す（Ｓ０８）。このときの一次電子線の試料表面における加速電圧をＶ02とすると、式Ｖ02＝Ｖ01−Ｖrで表される。除電終了を判定する方法は実施例５にて説明する。
【００４１】
また上記フローチャートではリターディング電圧Ｖrを変更したが、一次電子加速電源に印加する加速電圧Ｖ01を変更、もしくは両者を変更して、試料表面における一次電子線のエネルギーを−２０〜０［ｅＶ］、もしくは０〜＋３０［ｅＶ］に調整しても良い。
【実施例３】
【００４２】
上記実施例１，２の説明では試料にグローバル帯電が存在しない場合について説明したが、試料にグローバル帯電が存在する場合の除電方法を説明する。グローバル帯電はローカル帯電と異なり、元々試料が有している、もしくは測定，検査の前段階における工程にて蓄積されることにより、或いは二次電子等が試料上に配置された対面電極が形成する電界によって試料上に戻され、試料に再付着することによって形成される帯電であり、帯電範囲は数１０mm程度と比較的広範囲に及ぶ。試料が帯電していると帯電電位に応じて焦点位置が異なるため、フォーカスさせる位置を変える必要がある。さらにグローバル帯電は図４に示すグローバル帯電１のように試料上で電位が均一なものだけではなく、図４に示すグローバル帯電２のように試料上の位置、中心からの距離によって電位が異なるものも存在する。そのため測長ＳＥＭではあらかじめ試料上の数点でグローバル帯電電位を測定しておき、試料位置によって帯電電位に合わせた焦点位置に調整して試料の測定を行っている。このシーケンスに基づいて測定を行う場合、グローバル帯電が存在する場合のローカル帯電の除去はローカル帯電だけを除去し、グローバル帯電は残す必要がある。この理由はグローバル帯電まで除去してしまうと、グローバル帯電に合わせて焦点位置を調整しているため、フォーカスがずれてしまうからである。よって、試料の荷電粒子線の照射領域における帯電量からグローバル帯電分を引いた分の帯電に対してのみ除電を行うよう調整が必要となる。
【００４３】
上記条件を元に図５，図６を用いてグローバル帯電が存在する場合の除電方法を説明する。図５は試料のグローバル帯電電位がＶg［Ｖ］である例を示しており、図６はその場合の除電方法をフローチャートで示している。図５の（１）のように、Ｖr＜Ｖ01＋Ｖgの条件において試料の測定を行うと、図５の（２）の一次電子照射範囲５０９のようにローカル帯電５１０が生じる。グローバル帯電が存在するため、試料上で一次電子線のエネルギーを０［ｅＶ］にするにはグローバル帯電を考慮してＶrを変更する必要がある。つまりグローバル帯電が存在する場合はＶr＝Ｖ01−Ｖgと設定する必要がある。例えばグローバル帯電が０.１［ｋＶ］の正帯電，引き出し加速電圧が３.０［ｋＶ］である場合のリターディング電圧はＶr＝３.０［ｋＶ］−０.１［ｋＶ］＝２.９［ｋＶ］の負電圧となる。この条件で除電を行い（図５の（３））、ローカル帯電を除去するとローカル帯電が存在した領域の帯電電位はグローバル帯電と同電位になる（図５の（４））。
【００４４】
そのため除電シーケンスは、図６−Ａにおいて、画像取得などの測定後（Ｓ０９）、グローバル帯電電位を測定し（Ｓ１０）、試料表面で一次電子線のエネルギーが０［ｅＶ］となるように、リターディング電圧をＶr＝Ｖ0−Ｖgに変更（Ｓ１１）する。Ｓ１１にて設定した条件において、電子源から試料方向へ一次電子線を照射する（Ｓ１２）。図５の（３）にて示した通り、この状態においてはローカル帯電の帯電領域における正電荷と一次電子線の負電荷が引き寄せ合い、帯電が中和されることによって除電が行われる。除電後、Ｖrを元の値に変更する（Ｓ１３）。このシーケンスを用いることにより、ローカル帯電が生じた範囲の除電後の試料表面電位をグローバル帯電電位に設定することができる。
【００４５】
また上記フローチャートではリターディング電圧Ｖrを変更したが加速電圧Ｖ0を変更、もしくは両者を変更させて、試料表面における一次電子線のエネルギーを０［ｅＶ］にしても良い。
【実施例４】
【００４６】
実施例３ではリターディング電圧ＶrをＶr＝Ｖ01−Ｖgとなるように調整したが、試料の除電はＶrとＶ01−Ｖgの差を小さくした条件においても可能である。このような場合では、試料の測定時におけるリターディング電圧Ｖrの値を負の方向に大きくする、または／および加速電圧Ｖ01の値を正の方向に大きくすることにより、ＶrとＶ01＋Ｖgの差分を減少させるように変更した状態において除電を行う。ここで、試料に照射される一次電子線のエネルギーの範囲は、具体的には−２０〜０［ｅＶ］、もしくは０〜＋３０［ｅＶ］とする。ここで、エネルギーが−２０〜０［ｅＶ］の範囲内では、Ｖr＞Ｖ01となり一次電子線は試料に到達しない状態にて、一次電子の負電荷が試料の帯電領域の正電荷と中和されることにより除電が行われる。一方、エネルギーが０〜３０［ｅＶ］の範囲内では、Ｖ01＞Ｖrとなり、試料に入射する電子の数よりも試料より放出される電子の数が少ない状態、つまり試料に対する一次電子線の二次電子発生効率が１以下となる条件下で、一次電子線の電子の負電荷は試料の帯電領域の正電荷と中和されることにより除電が行われる。
【００４７】
図６−Ｂに、上記の場合のローカル帯電の除電方法のフローチャートを示す。画像取得などの測定後（Ｓ１４）、グローバル帯電電位を測定し（Ｓ１５）、試料表面で一次電子線のエネルギーが−２０〜０［ｅＶ］、もしくは０〜＋３０［ｅＶ］となるように、リターディング電圧Ｖrを変更（Ｓ１６）する。Ｓ１６にて設定した条件において、電子源から試料方向へ一次電子線を照射する（Ｓ１７）。この状態においては、図６の（３）の説明と同様に、ローカル帯電の帯電領域における正電荷と一次電子線の負電荷が引き寄せ合い、帯電が中和されることによって除電が行われる。除電後、リターディング電圧Ｖrを元の値に変更する（Ｓ１８）。このシーケンスを用いることにより、ローカル帯電が生じた範囲の除電後の試料表面電位をグローバル帯電電位に設定することができる。
【００４８】
また上記フローチャートではリターディング電圧Ｖrを変更したが加速電圧Ｖ0を変更、もしくは両者を変更させて、試料表面における一次電子線のエネルギーを−２０〜０［ｅＶ］、もしくは０〜＋３０［ｅＶ］に調整しても良い。
【００４９】
上記除電時では、一次電子線をローカル帯電領域に照射しようとしても通常の測定の状態とは異なるため、視野がずれていたり回転していたりして、ローカル帯電領域に照射できない。そのため事前に上記条件の一次電子線を照射し、走査の角度を変更する偏向コイルや一次電子線を曲げるイメージシフトを用いて一次電子線が照射される位置を調整し、目標位置に一次電子線を照射するために適した値を求めておく。除電の際にはこれらの値を用いて、ローカル帯電領域に一次電子線を照射する。
【００５０】
なお、実施例５以降では除電時に試料表面の一次電子線のエネルギーが０［ｅＶ］となるようにリターディング電圧Ｖrを調整する方法についての応用例のみを示すが、上記説明と同様の手法により、一次電子線のエネルギーが−２０〜０［ｅＶ］、もしくは０〜＋３０［ｅＶ］となる場合においても実施可能であるものとする。
【実施例５】
【００５１】
実施例１，３では除電時に試料表面の一次電子線のエネルギーが０［ｅＶ］になるようにリターディング電圧を調整し除電を行った。しかし一次電子線が試料表面で反転され、到達しないように調整した条件から、試料表面の一次電子線のエネルギーが徐々に０［ｅＶ］に近づくように調整を行った場合、一次電子線がローカル帯電領域の帯電を一時的に進行させることなく、除電が行えるという利点がある。
【００５２】
上記の詳しい説明を図７，図８，図９を用いて行う。図７は試料のグローバル帯電がなく、ローカル帯電電位がＶLの試料をＶr＝Ｖ0の条件で除電した場合を示している。一方、図８は試料表面の一次電子線のエネルギーを試料に到達しない条件から徐々に０［ｅＶ］になるように調整を行い、除電した場合を示している。図９は図８の除電方法をフローチャートで示している。
【００５３】
また、ここでは一次電子線が試料表面で反転され、到達しないように調整した条件から、試料表面の一次電子線のエネルギーが徐々に０［ｅＶ］に近づくように調整を行った場合を示すが、二次電子放出効率δが１以下の条件において試料に一次電子線が到達する状態、つまり一次電子線のエネルギーが０〜３０［ｅＶ］の範囲内において、試料表面の一次電子線のエネルギーを徐々に０［ｅＶ］に近づくように調整を行っても良い。
【００５４】
図７のようにＶr＝Ｖ01の場合、通常一次電子線７０１のエネルギーは０［ｅＶ］付近であり、試料には到達しない。しかし正のローカル帯電が存在する領域では一次電子線７０２は除電前のローカル帯電電位であるＶL1の加速で照射されるため、ローカル帯電の正帯電が進行してしまうことがある。このとき、一次電子線のエネルギーは−ＶL1［ｅＶ］と表される。そこで除電開始時の設定を図８の（１）のようにＶr＝Ｖ01＋ＶL1とすることで、帯電を進行させることなく除電できる。例えばローカル帯電が０.１［ｋＶ］の正帯電、引き出し加速電圧が３.０［ｋＶ］である場合はＶr＝３.０［ｋＶ］＋０.１［ｋＶ］＝３.１［ｋＶ］の負電圧と設定する。この条件にすることでローカル帯電領域では一次電子の加速エネルギーが０［ｅＶ］付近となり試料の帯電を進行せず、除電のみが行われる。またローカル帯電領域以外では試料表面の加速エネルギーは−０.１［ｋＶ］となるため一次電子は反転され、試料に到達しない。そして図８の（２）のように除電が進行し、ローカル帯電電位が除電前より小さくなっていきＶL2（ＶL2＜ＶL1）の値になると、一次電子は試料表面で反転され除電できなくなる。そこで図８の（３）のようにＶrの値を徐々に−３.０［ｋＶ］に近づけることで図８の（１），（２）にて説明した除電と同様の現象により試料に影響を及ぼさずに除電を行うことができる。そして最終的に図８の（４）のようにＶr＝Ｖ0で除電を行うことでローカル帯電を除電できる。
【００５５】
以上の除電シーケンスを図９を用いて説明する。画像取得などの測定後（Ｓ１９）、ローカル帯電電位ＶL1を測定し（Ｓ２０）、リターディング電圧をＶr＝Ｖ0＋ＶL1となるように変更（Ｓ２１）する。Ｓ２１にて設定した条件において、電子源から試料方向へ一次電子線を照射する（Ｓ２２）。Ｓ２２における一次電子線の照射により、Ｓ１２にて設定した条件での除電が完了した後（Ｓ２３）、次段階におけるローカル帯電電位（ＶL2、3・・・n但しＶn+1＜Ｖn）を考慮したリターディング電圧の変更が必要であればＳ１２〜Ｓ１５の操作を再度行い、必要でなければ、リターディング電圧Ｖrを最終除電条件であるＶr＝Ｖ01に変更して（Ｓ２４）、電子源から試料方向へ一次電子線を照射する（Ｓ２５）。そしてＶr＝Ｖ0で除電後、リターディング電圧Ｖrを元の値に変更する（Ｓ２６）。このシーケンスを用いることにより、ローカル帯電領域の帯電を進行させることなく、除電を行うことができる。
【００５６】
上記除電シーケンスでは図１０のようにリターディング電圧Ｖrの変更を繰り返す。そのため図８の（２）の状態、つまり除電が終了した時を調べ、リターディング電圧Ｖrの変更をすぐに行っていけば、無駄な除電時間がなくなり、スループットの低下を抑えられる。なお、リターディング電圧Ｖrの変更は図１０のＡのように段階ごとに行っても、図１０のＢ及びＣのように連続的に掃引するように行っても良い。また、図１０のＡにおける各段階、では除電中の図８の（１）の状態（ａ１），第一段階での除電終了時の図８の（２）の状態（ａ２），リターディング電圧Ｖrの変更時の図８の（３）の状態（ａ３），第二段階での除電終了時の図８の（３）の状態（ａ４），ローカル帯電の除電終了時の図８の（４）の状態（ａ５）を各々示している。
【００５７】
除電終了判定方法は例えば除電中の画像明度を測定する方法を用いることができる。この方法について図１１を用いて説明する。除電中である図１１の（１）の状態は試料に対する一次電子線のエネルギーが０［ｅＶ］のため、二次電子は発生しない。そのため二次電子検出器９の出力は通常の測定時に比較して低下し、画像は暗くなる。それに対し図１１の（２）のように除電が終了すると、一次電子線は反転するため二次電子検出器９の出力は除電中に比較して増加し、画像は明るくなる。そのため除電中の画像の明度変化に基づいて、除電終了判定を行うことができる。
【００５８】
除電終了判定は他にも試料が一次電子線から吸収した電流を測定する方法もある。この方法について図１２を用いて説明する。図１２の（１）のように除電中は試料に一次電子線が照射されるため、試料中を一次電子が通過し、アースへと電流が流れるため、電流計１２０４により電流の測定ができる。しかし図１２の（２）のように除電が終了すると一次電子線は反転されるため、試料に電流は流れない。このように、試料に流れる電流を調べることで、除電の終了時及び次段階において電圧を変化させるタイミングを判定できる。
【００５９】
他にも帯電電位から除電に必要なドーズ量を計算し、必要なドーズ量のみを照射する方法や除電中にローカル帯電電位を測定する方法などもある。除電に必要なドーズ量はあらかじめ帯電電位と除電ドーズ量の相関関係を測定しておくことにより求めることができる。またローカル帯電電位の測定は、荷電粒子線の装置のレンズ系に検出器を配置してミラー電子の到達位置を検出し、入射電子の通過位置とミラー電子の到達位置の差である「ずれ」量と、リターディング電圧Ｖrの関係を利用する方法や、もしくは試料材質毎の一次電子線照射面積およびドーズ量と帯電電位の相関関係を測定しておくことで求められる。
【００６０】
また図９のフローチャートではリターディング電圧Ｖrを変更したが引き出し加速電圧Ｖ01を変更、もしくは両者を変更させても良い。
【実施例６】
【００６１】
実施例１−５では試料の測定後に毎回除電を行っていたが、除電可能な面積内において複数の測定を行った後に一括して除電を行っても良い。この手法により除電時間を短縮でき、スループットの低下を抑えられる。測長ＳＥＭの場合、測長点の前に焦点を合わせるためや位置を決定するために試料に一次電子線を照射する。そのため、本明細書中における複数の測定とは、測長の準備として試料に一次電子線を照射した点と実際の測長点を複数と呼ぶ場合及び、実際に測長を複数行った場合を示す。
【００６２】
複数点をまとめて除電する場合、あらかじめ除電可能面積を求めておく必要がある。求める方法としては例えば除電可能面積は一次電子線をラスター走査できる面積であるため、ラスター走査を行い、得られた画像の大きさから一次電子線が照射できる面積を調べ、その面積を除電可能面積とする方法がある。他にも図１３のようにローカル帯電を作成し、試料ステージを移動させて除電を行う位置を変えていく。そして除電後にローカル帯電の中心で帯電電位を測定し、帯電電位が０［Ｖ］である範囲を除電可能面積とする方法がある。
【００６３】
次に複数のローカル帯電の除電方法を図１４を用いて説明する。測定は図１４の測定点１，測定点２，・・・の順に行うとする。除電可能面積がわかっているため、測定点の位置及び一次電子線照射面積が分かっている場合、図１４のように除電可能面積内にある測定点１〜測定点４はまとめて除電できる。
【００６４】
このように複数のローカル帯電をまとめて除電すると除電面積が大きくなり、単位面積に照射される一次電子の数は低下し、除電効率も低下する。そこで除電時間を短縮するため、除電時のドーズ量を増大させる必要が生じる場合がある。ドーズ量の増大には、例えば以下のように、（１）一次電子線のプローブ電流を増やす、（２）除電範囲をローカル帯電範囲と同等の大きさにする、（３）一次電子線が通常よりも通過する絞りを用意して除電時に絞りを変更し、プローブ電流を増やす、もしくは除電時に絞りを取り、プローブ電流を増やす、別の大電流照射用電子銃を搭載する、といった方法が挙げられる。
【００６５】
以上より、除電シーケンスは図１５のように画像取得などの測定後（Ｓ２７）、測定位置、領域を記録し（Ｓ２８）、次測定があって（Ｓ２９）、次測定位置が測定範囲外ならば（Ｓ３０）、リターディング電圧Ｖrを変更する（Ｓ３１）し、プローブ電流を増大させる（Ｓ３２）。Ｓ３１，Ｓ３２にて設定した条件において、電子源から試料方向へ一次電子線を照射する（Ｓ３３）。除電が終了したら、Ｓ３２にて設定したプローブ電流を元の値に戻し（Ｓ３４）、Ｓ３１にて設定したリターディング電圧Ｖrを元の値に変更（Ｓ３５）する。このシーケンスを用いることにより、スループットの低下を抑えて、除電を行うことができる。
【００６６】
スループットの低下を抑えるにはローカル帯電が次以降の測定に影響を与える位置のみ除電を行う方法もある。ローカル帯電が測定に与える影響があるとみなす場合は非点発生量，倍率誤差，視野ずれ量がしきい値を超えた場合とする。ローカル帯電が測定に与える影響の範囲を求める方法としては、あらかじめ帯電電位及びローカル帯電からの距離及び測定時の非点発生量，倍率誤差，視野ずれ量の相関関係を調べる方法がある。例えば帯電電位を一定の値にして作成し、帯電からの距離を変化させて、あらかじめ大きさがわかっている試料の測定を行う。その時の非点発生量，倍率誤差，視野ずれ量を調べ、ローカル帯電が測定に影響の与える範囲を求める。帯電電位を変更して同様のことを行うことで、ローカル帯電が測定に与える影響範囲の帯電電位と距離に対する依存性を求められる。また帯電電位は測定もしくは一次電子線の照射面積，ドーズ量，試料材質によって決定する。
【００６７】
またこの方法を用いる場合も除電時のドーズ量を増やすことにより除電時間の短縮を図ることができる。
【００６８】
この場合の除電方法を図１６を用いて説明する。図１６は４点の測定を行う場合の測定面積及び帯電影響範囲を示している。帯電電位及び測定位置があらかじめ分かっていれば、帯電の測定に対する影響が及ぶ範囲が分かる。図１６では測定点２，３のローカル帯電は他の測定点に影響を及ぼさないので除電を行う必要はない。しかし測定点１のローカル帯電は測定点４に影響を及ぼすため除電を行う必要がある。このようにローカル帯電が次以降の測定に影響を与える場合のみ除電を行う。
【００６９】
除電シーケンスは図１７のようになる。画像取得などの測定後（Ｓ３６）、次測定がある場合には（Ｓ３７）、ローカル帯電が次測定に与える影響を評価する（Ｓ３８）。ローカル帯電が次測定に影響を与える場合にはリターディング電圧Ｖrを変更し（Ｓ３９）、プローブ電流を増大させる（Ｓ４０）。Ｓ３９，Ｓ４０にて設定した条件において、電子源から試料方向へ一次電子線を照射する（Ｓ４１）。除電が終了したら、Ｓ４０にて設定したプローブ電流を元の値に変更し（Ｓ４２）、Ｓ４１にて設定したリターディング電圧Ｖrを元の値に変更する（Ｓ４３）。
【実施例７】
【００７０】
ローカル帯電が一次電子線に与える影響を視野ずれ，非点量，測長値変化などでモニターしておき、これらの値があらかじめ決めておいた閾値を超えたら、それまでの測定点を全て、もしくは数点さかのぼって任意の測定点について除電を行うことで、除電によるスループットの低下を抑える方法もある。ただし測定点を数点さかのぼって除電を行う場合はローカル帯電の影響がなくなるまで行うものとする。ローカル帯電の測定に対する影響がなくなるために何点の除電が必要か決定する方法は帯電電位及びローカル帯電からの距離及び測定時の非点発生量，倍率誤差，視野ずれ量の相関関係を調べる方法を用いる。
【００７１】
また上記条件のように現在の一次電子線の照射位置とローカル帯電の位置が異なっている場合、一次電子線をローカル帯電領域に照射できず、除電可能範囲外である可能性がある。その場合には一次電子線を曲げる、もしくはステージを動かす、もしくはこの両者を行い、ローカル帯電領域に一次電子線を照射し、除電を行う。一次電子線の移動は偏向コイル，集束レンズ，絞りなどを用いて行い、ステージの移動は測定位置を記録しておき移動する。これらの方法によりローカル帯電領域に一次電子線を照射することができ、除電が可能になる。
【００７２】
またプリチャージのように通常の測定よりも広範囲に一次電子線を照射する場合、除電可能範囲よりもローカル帯電が広範囲になる場合がある。その場合は上記方法でローカル帯電領域に一次電子線を照射することで、広範囲のローカル帯電の除電が可能になる。
【００７３】
ローカル帯電が一次電子線に与える影響をモニターしておき、影響が決められた閾値を超えたら除電を行う場合、除電シーケンスは図１８のようになる。画像取得などの測定を複数回行った後（Ｓ４４）、次測定がある場合には（Ｓ４５）、ローカル帯電が測定に与える影響が予め設定した閾値を超えているか評価する（Ｓ４６）。閾値を超えている場合はリターディング電圧Ｖrを変更し（Ｓ４７）、プローブ電流を増大させる（Ｓ４８）。そしてこれまでの測定位置を全て除電する場合は、これらの全ての測定点を含んだ領域にて一次電子線を照射し、除電を行う（Ｓ４９）。ローカル帯電が測定に影響を与えない範囲となるまで除電を行う場合には、ローカル帯電が影響を測定に与える範囲を上述の手法等により調査し（Ｓ５０）、次測定ｘ点に影響を与えない範囲となるまで一次電子線を照射し、除電を行う（Ｓ５１）。除電が終了したら、Ｓ４８にて設定したプローブ電流を元の値に変更し（Ｓ５２）、Ｓ４７にて設定したリターディング電圧Ｖrを元の値に変更する（Ｓ５３）。
【実施例８】
【００７４】
これまでの実施例は測定後、一次電子線により生じたローカル帯電を除去するのが目的だった。しかしローカル帯電を生じさせていなくても、以下のような場合には除電を行うメリットが存在する。試料がグローバル帯電を有する場合、その帯電がウェーハ面内で全て均一とは限らない。そのため倍率ずれなどが生じ、図１９のように、試料中のホールパターンが歪んで撮影されてしまうなど、正しい画像を取得できない場合がある。このように試料が元々グローバル帯電を保持しており、その帯電が不均一な場合、もしくは測定前から試料の局所的な領域にて帯電が存在する場合、除電を行うことで試料内の電位が均一になり、正しい画像の取得及び測定を行うことが可能となる。
【符号の説明】
【００７５】
１０１，２０１，５０１  電子源
１０２，２０２，５０２，７０１，７０２，８０１，８０２，１１０２，１２０１  一次電子線
１０３  コンデンサレンズ
１０４  反射板
１０５  偏向（走査）コイル
１０６  対物レンズ
１０７，２０４，５０４，７０３，８０３，１１０４，１２０２  試料
１０８，２０５，５０５  二次電子
１０９，１１０３  二次電子検出器
１１０，２０７，５０７  リターディング電源
１１１  試料ステージ
１１２，２０６，５０６  加速電源
１１３，２０３，５０３，１１０１  一次電子加速電極
１１４  高電圧制御部
１１５  電源
１１６  イメージシフト制御部
１１７  スキャン制御部
１１８  ステージ制御部
１１９  位置制御部
１２０  リターディング電圧制御部
１２１  増幅器
１２２  演算部
１２３  画像メモリ
１２４  演算装置
１２５  表示装置
１２６，１２０４  電流計
１２７  電流計制御部
１２８  制御装置
２０８，５０９  一次電子照射範囲
２０９，５１０，７０４，８０４，８０５，１１０５，１２０３，１３０１  ローカル帯電
２１０，５１２  帯電領域における正電荷と一次電子の中和
２１１，５１１  ランディングエネルギーを持たない電子
４０１  試料（ウェーハ）面内
５０８  グローバル帯電
１３０２  除電面積
１３０３  帯電電位測定位置（ローカル帯電中心）
１９０１  試料中のホールパターン
【図１】
0005695917.tif 000002
【図２】
0005695917.tif 000003
【図３−Ａ】
0005695917.tif 000004
【図３−Ｂ】
0005695917.tif 000005
【図４】
0005695917.tif 000006
【図５】
0005695917.tif 000007
【図６−Ａ】
0005695917.tif 000008
【図６−Ｂ】
0005695917.tif 000009
【図７】
0005695917.tif 000010
【図８】
0005695917.tif 000011
【図９】
0005695917.tif 000012
【図１０】
0005695917.tif 000013
【図１１】
0005695917.tif 000014
【図１２】
0005695917.tif 000015
【図１３】
0005695917.tif 000016
【図１４】
0005695917.tif 000017
【図１５】
0005695917.tif 000018
【図１６】
0005695917.tif 000019
【図１７】
0005695917.tif 000020
【図１８】
0005695917.tif 000021
【図１９】
0005695917.tif 000022